(57)【要約】【課題】レンズ交換式カメラのマウント部の防水性を確保し、防水部材の摩耗を防いで耐久性を確保し、回動摩擦力を小さくし、レンズ取付操作性の向上を図るもので、部品を増やさずに簡単な構造で信頼性の高い防水マウント構造を提供する。【解決手段】シールすべき面２２を低摩擦処理されたカメラ側マウント２０と、前記シールすべき面２２に対向するレンズ１０側に設けたリング状の防水リング３０とから成る防水マウント構造とした。【選択図】        図１
2005275285.tif 000002
【特許請求の範囲】
【請求項１】
レンズ交換式カメラにおいて、シールすべき面を低摩擦処理し、カメラ側マウントと、前記シールすべき面に対向するレンズ側マウント面に装着したリング状の防水リングとから成ることを特徴とする防水マウント構造。
【請求項２】
レンズ交換式カメラにおいて、シールすべき面を低摩擦処理したレンズ側マウントと、前記シールすべき面に対向するカメラ側マウント面に装着したリング状の防水リングとから成ることを特徴とする防水マウント構造。
【発明の詳細な説明】
【技術分野】
【０００１】
本発明は、防水マウント構造に関し、さらに詳しくは、レンズユニットを交換可能にしたカメラ等の光学機器における、マウント部の防水構造に関する。
【背景技術】
【０００２】
交換レンズ鏡筒が着脱自在に装着でき、レンズユニットを交換可能にしたカメラ等の光学機器においては、本体およびレンズユニット双方にマウント部材を設け、マウント部材を相互に係合させ、マウント面同士を密着させることによりレンズユニットを本体に取り付けるマウント構造が多用されている。
【０００３】
このようなマウント構造を、例えば雨中の撮影等を行う場合にも支障がないように、本体およびレンズユニット自身を防水構造とするとともに、双方のマウント部材を係合する時に水密化するような防水マウント構造を備える技術がある。
【０００４】
従前は水密性の円環状弾性部材と円環状の低摩擦部材とをカメラ側及びレンズ側的にそれぞれ配設し、カメラ本体とレンズユニットと係合したとき、弾性部材と低摩擦部材とが互いに対向した状態で当接するようにし、マウント接合部の水密化を図ると共にレンズ装着の操作性の向上を図ったものがあった。この機構では、マウント接合部の防水性は確保されるがカメラ本体とカメラ側マウントとの間に別の防水機構が必要である。
【０００５】
これを改善する技術として、例えば、レンズマウントの外周面と、カメラ本体に設けられた外装部材におけるレンズマウントの外周を囲む部分との間に、フッ素樹脂、ポリアセタール、超高分子量ポリエチレン等の低摩擦材料により形成された、マウント接合部を防水する防水リングを配置し、この防水リングを上記マウント面よりも光軸方向後方に位置させる技術がある（例えば、特許文献１参照。）。
【０００６】
この技術はマウントの外周面の外側に低摩擦材料から成る防水リングを配置するもので、格別な防水リングを製作する必要があり、部品数が増加しコストアップが避けられないという問題がある。
【０００７】
また、水密的に圧着する部材同士の摩耗を防いで耐久性を向上させ、摺動による回動摩擦力を少なくし、レンズユニット装着時の回転トルクを軽減する技術として、光軸周りに回動自在に設けられたリング状部材、及びマウントとの当接面より突出するように設けられ、マウントの連結時に他方のマウントの当接面に押圧されて弾性変形するリング状の弾性部材を具備し、弾性部材と他方のマウントとの摩擦力が、一方のマウントとの回動摩擦力よりも大となるように設定する技術がある（例えば、特許文献２参照。）。
【０００８】
この技術は本体側マウントとレンズ側マウントの間にリング状の弾性部材及び回動自在なリング状部材を配置することが必要である。
【０００９】
さらに、カメラ本体のレンズ取付部と、レンズユニットの本体取付部とに、互いに対応し互いに衝合する円環状の当接面と、円環状の低摩擦部材と、円環状弾性部材とを具備し、低摩擦部材により円環状弾性部材が押圧される防水マウント機構がある（例えば、特許文献３参照。）。
【００１０】
この技術はマウント部に低摩擦部材と防水リングを配置するもので、マウント部とは別に特殊な形状の低摩擦部材や円環状弾性部材が必要である。
【００１１】
以上のように、これらの従来技術では、何れも、係止するマウント部材とは別に水密部材等を必要としている。
【特許文献１】特開２００１−１８８２９１号公報
【特許文献２】特開平７−１２８７１８号公報
【特許文献３】実公昭６１−３９４０３号公報
【発明の開示】
【発明が解決しようとする課題】
【００１２】
以上のように従来の防水マウント構造は低摩擦材の防水リングが、回動自在なリング状部材又は低摩擦部材がマウントとは別に発生してしまうという問題がある。
【００１３】
本発明は、基本的にはレンズ交換式カメラのマウント部の防水性を確保し防水部材の摩耗を防いで耐久性を確保し、回動摩擦力を小さくし、レンズ取付操作性の向上を図るもので、部品を増やさずに、簡単な構造で、信頼性の高い防水マウント構造を提供することを目的とする。
【課題を解決するための手段】
【００１４】
本発明は、上記問題点を解決するためになされたもので、次の技術手段を講じたことを特徴とする防水マウント構造である。すなわち、本発明は、レンズ交換式カメラにおいて、シールすべき面を低摩擦処理し、カメラ側マウントと、前記シールすべき面に対向するレンズ側マウント面に装着したリング状の防水リングとから成ることを特徴とする防水マウント構造である。
【００１５】
この発明では、カメラ側マウントそのものに低摩擦処理を行うことによって部品数を増加することなく、すぐれた防水マウント構造を得ることができる。
【００１６】
また、本発明の別の発明は、レンズ交換式カメラにおいて、シールすべき面を低摩擦処理したレンズ側マウントと、前記シールすべき面に対向するカメラ側マウント面に装着したリング状の防水リングとから成ることを特徴とする防水マウント構造である。この技術は、レンズ側マウントそのものに低摩擦処理を行うもので、上記と同様の効果がある。
【発明の効果】
【００１７】
本発明によれば、レンズ交換式カメラにおいて、長寿命で操作性がよく、マウント部の防水性に優れ、、低摩擦を達成し、部品点数が少なく高性能のシール部を形成することができる。
【発明を実施するための最良の形態】
【００１８】
以下図面を参照して本発明の実施の形態を説明する。
【００１９】
図１は本発明の実施例の防水マウント構造を示す断面図である。
【００２０】
図１において、カメラ本体２１にカメラマウント２０が取付けられており、このカメラマウント２０にレンズユニット１０が係着されている状態を示している。レンズユニット１０のカメラマウント２０の上面と対面する面に、防水リング３０を挿入するための、断面が矩形状をなすリング状の座１２が設けられており、この座１２内に防水リング３０が挿入されている。この座１２は深さが防水リング３０の直径より浅く、防水リング３０は座１２から突出しており、レンズユニット１０をカメラマウントに係着したとき、防水リングがカメラマウントの対向面に押圧されて防水シールを形成する。防水リング３０は、横断面が円形で全体がリング状をなし、材質は例えばゴム、エラステトマー、合成樹脂等から成り、弾性を有している。芯材が内部に埋設されているものであってもよい。
【００２１】
この実施例において、本発明が特徴とするところは防水リング３０が当接するカメラマウント２０の当接面を低摩擦処理面２２としたことである。低摩擦処理面は、例えば、フッ素樹脂、ポリアセタール、超高分子ポリエチレン等の低摩擦材料を被覆する等によって形成することができる。被覆は貼着、塗装等によって行ってもよい。例えば、フッ素樹脂、グラファイト、二硫化モリブデン等を用いてもよい。
【００２２】
この実施例によれば、特殊な形状の低摩擦材料からなる防水リングや、その抑え材等を要することなく、良好な防水効果を得ることができる。また、この実施例では、レンズユニットの装着時に防水リングの摩擦力が小さく、回転トルクが小さく装着の操作性を阻害することがなく、また、レンズ交換を繰返しても防水リングを損傷することもないので、好適である。
【００２３】
図２は別の実施例を示すもので、カメラ本体２１に取付けるカメラマウント２０に防水リング３０を挿入する座２３を設け、レンズユニット１０の対向する面を低摩擦処理面１１としたものである。その他は図１に示す実施例と同様であり本実施例も図１について説明したのと同様の好適な作用効果を奏し、好ましい。
【図面の簡単な説明】
【００２４】
【図１】実施例の防水マウント構造を示す断面図である。
【図２】実施例の防水マウント構造を示す断面図である。
【符号の説明】
【００２５】
１０    レンズユニット
１１    低摩擦処理面
１２    座
２０    マウント
２１    カメラ本体
２２    低摩擦処理面
２３    座
３０    防水リング
【図１】
2005275285.tif 000003
【図２】
2005275285.tif 000004